(57)【要約】【課題】ＩＤカードプリンタにおいて、ユニットの一部でエラーが発生しても、プリント作業が大幅に停滞することがなく、然も、容易にプリント作業を再開させることができるようにする。【解決手段】カードカセット71から１枚ずつ取り出されたカード材料は、各色（イエローＹ，マゼンタＭ，シアンＣ，ブラックＢ）のプリント部72ａ〜72ｄで、順次色別のプリントがなされ、顔写真等のカラープリントを行い、また、住所，氏名などの文字情報をブラックＢでプリントする。ここで、各種消耗品の残量不足やジャムなどのエラーが発生したときは、エラー発生ユニットよりも下流側のユニットでは処理を順次進行させ、また、エラー発生ユニットの上流側では各ユニットの処理を終えたところでカードを待機させる。【選択図】図１０
2006137198.tif 000002
【特許請求の範囲】
【請求項１】
複数のユニットを備え、ＩＤ番号によって対応づけられた顔画像データとＩＤ情報とからＩＤカードを作成するＩＤカード作成装置において、
それぞれのユニットで処理中にエラーが発生した場合に、エラーが発生したユニットよりも上流側のユニットではカードを待機させることを特徴とするＩＤカード作成装置。
【請求項２】
複数のユニットを備え、ＩＤ番号によって対応づけられた顔画像データとＩＤ情報とからＩＤカードを作成するＩＤカード作成装置において、
それぞれのユニットで処理中にエラーが発生した場合に、エラーが発生したユニットよりも上流側の情報記録ユニットにおける情報記録が終了後にカードを待機させることを特徴とするＩＤカード作成装置。
【請求項３】
前記エラーが発生したユニットのエラーが解除された場合には、該ユニットよりも上流側で待機させておいたカードに対する処理を再開させることを特徴とする請求項１又は２に記載のＩＤカード作成装置。
【請求項４】
複数のユニットを備え、ＩＤ番号によって対応づけられた顔画像データとＩＤ情報とからＩＤカードを作成するＩＤカード作成装置において、
それぞれのユニットで処理中にエラーが発生した場合に、エラーが発生したユニットよりも下流側のユニットではカードに対する処理を継続させることを特徴とするＩＤカード作成装置。
【請求項５】
複数のユニットを備え、ＩＤ番号によって対応づけられた顔画像データとＩＤ情報とからＩＤカードを作成するＩＤカード作成装置において、
それぞれのユニットで処理中にエラーが発生した場合に、エラーが発生したユニットよりも上流側のユニットではカードを待機させ、エラーが発生したユニットよりも下流側のユニットではカードに対する処理を継続させ、エラーが解除された場合に、上流で待機させておいたカードに対する処理を再開させることを特徴とするＩＤカード作成装置。
【請求項６】
前記エラーが発生したユニット内のエラー該当カードの再発行指令に基づいて、記憶手段に記憶された、ＩＤ番号によって対応づけられた顔画像データとＩＤ情報とからＩＤカードを再度作成することを特徴とする請求項１〜５のいずれか一つに記載のＩＤカード作成装置。
【請求項７】
前記複数のユニットに、ＩＤカード表面に顔画像データとＩＤ情報とを形成する情報記録ユニットが単数又は複数含まれることを特徴とする請求項１〜６のいずれか１つに記載のＩＤカード作成装置。
【請求項８】
前記複数のユニットに、ＩＤカード表面に顔画像データとＩＤ情報とを形成する情報記録ユニットが単数又は複数含まれると共に、ＩＤ情報が形成されたＩＤカード表面に保護膜を形成する保護膜形成ユニットが単数又は複数含まれることを特徴とする請求項１〜６のいずれか１つに記載のＩＤカード作成装置。
【発明の詳細な説明】
【技術分野】
【０００１】
本発明はＩＤカード作成装置に関し、詳しくは、例えば会社の従業員証や図書館の入館証，その他各種の特定資格を証明するための資格証明証などの顔写真入りＩＤカードを作成する装置に関する。
【背景技術】
【０００２】
所謂ＩＤカード（Identification Card）の中でも、特定資格を証明するためのＩＤカードにおいては、本人の顔写真と共に、本人の住所，氏名，生年月日，個人識別番号（以下、ＩＤ番号という。）などのＩＤ情報（個人情報）を記録する形態とすることが多い。
上記のようなＩＤカードの作成システムとしては、本人の顔画像をビデオカメラで撮影し、このビデオカメラで得られる顔画像データと、氏名，住所，ＩＤ番号等のＩＤ情報とをＩＤカードプリンタ（ＩＤカード作成装置）に出力し、該ＩＤカードプリンタでＩＤカードを作成させるものがある（特許文献１参照）。
【特許文献１】特開平１−２０６０９８号公報
【発明の開示】
【発明が解決しようとする課題】
【０００３】
しかしながら、従来のシステムでは、申請者毎に、顔画像データの取得と氏名，住所，ＩＤ番号等のＩＤ情報の取得とを連続的に行わせる必要があるため、例えば、ＩＤ情報の取得が滞ると、撮影作業も中断させる必要が生じ、多くの申請者がいる場合に、撮影に長い時間がかかってしまうという問題があった。
また、上記ＩＤカードプリンタは、一般に複数のユニットで構成されるが、そのうちの一部ユニットで各種消耗品の残量不足やジャムなどのエラーが発生したときに、全ユニットの動作を停止させてしまうと、完了間近のカードについての処理までが停止されることになって、カード作成処理が大幅に停滞してしまうことになる。
【０００４】
また、不用意にカード処理を継続させてしまうと、不良カードが多く発生して、再プリントが必要なカード数が多くなり、これによって、重複発行の可能性が発生するという問題があった。更に、エラー発生ユニットの上流・下流側でＩＤカードが適当に停止すると、すべてのカードを排除した上で、処理途中であったＩＤカードの全てを再作成する必要が生じるという問題もあった。
【０００５】
本発明は上記問題点に鑑みなされたものであり、顔画像データとＩＤ情報とを確実に対応づけることができると共に、たとえＩＤ情報の取得が滞っても多くの申請者の撮影を短時間で完了させることができるシステムのＩＤカード作成装置を提供することを目的とする。また、ユニットにエラーが発生しても、処理が大幅に停滞したり、不良カードが多く発生することを回避でき、復旧が容易に行えるＩＤカード作成装置を提供することを目的とする。
【課題を解決するための手段】
【０００６】
請求項１記載の発明では、複数のユニットを備え、ＩＤ番号によって対応づけられた顔画像データとＩＤ情報とからＩＤカードを作成するＩＤカード作成装置において、それぞれのユニットで処理中にエラーが発生した場合に、エラーが発生したユニットよりも上流側のユニットではカードを待機させる構成とした。
上記構成によると、各種消耗品の残量不足やジャムなどのエラーが発生したユニットよりも上流側のユニットでは、カードの搬送を停止してカードを待機させる。従って、エラー発生ユニットに対して新たにカードが搬送されて、不良カードが増えたり、エラーが増大することが回避される。
【０００７】
請求項２記載の発明では、ユニットで処理中にエラーが発生した場合に、エラーが発生したユニットよりも上流側の情報記録ユニットにおける情報記録が終了後にカードを待機させる構成とした。
上記構成によると、エラー発生時に、エラーが発生したユニットよりも上流側の情報記録ユニットで情報記録途中であったときには、その情報記録を終了させてからカードを待機状態とする。従って、情報記録の途中で待機状態となって、画像や文字に白すじが発生することを回避できる。
【０００８】
請求項３記載の発明では、エラーが発生したユニットのエラーが解除された場合には、該ユニットよりも上流側で待機させておいたカードに対する処理を再開させる構成とした。
上記構成によると、ユニットでのエラー要因が取り除かれると、エラー発生ユニットよりも上流側で待機させておいたカードの処理を再開させ、途中まで進んでいた処理の残りを完了させる。従って、例えばユニットに詰まったために取り除かれたカードを除いて、処理途中のカードの作成を完了させることができる。
【０００９】
請求項４記載の発明では、ユニットで処理中にエラーが発生した場合に、エラーが発生したユニットよりも下流側のユニットではカードに対する処理を継続させる構成とした。
上記構成によると、エラーが発生したユニットよりも下流側の正常動作するユニットにおいては、カードに対する処理が継続され、カード作成を完了させる。従って、エラーが発生したユニットを既に通過していたカードについては、エラー要因を取り除く作業中に作成を完了させることができ、カード作成が大幅に停滞することを回避できる。
【００１０】
請求項５記載の発明では、ユニットで処理中にエラーが発生した場合に、エラーが発生したユニットよりも上流側のユニットではカードを待機させ、エラーが発生したユニットよりも下流側のユニットではカードに対する処理を継続させ、エラーが解除された場合に、上流で待機させておいたカードに対する処理を再開させる構成とした。
上記構成によると、エラーが発生したユニットよりも上流側でカードを待機させて、エラー発生ユニットに対する新たなカードの送り込みを停止させる一方、下流側ではカード処理を継続させて、カード作成を完了させる。そして、エラー要因が取り除かれると、待機させておいたカードの処理を再開させ、ＩＤカードを完成させる。従って、エラー発生ユニットに対して新たにカードが搬送されて、不良カードが増えることが回避され、かつ、エラーが発生したユニットを既に通過していたカードについてはカード作成を完了させて、カード作成が大幅に停滞することを回避でき、更に、エラー発生ユニットの上流側で待機させていたカードを、エラー要因が取り除かれた後に直ぐに完成させることができる。
【００１１】
請求項６記載の発明では、エラーが発生したユニット内のエラー該当カードの再発行指令に基づいて、記憶手段に記憶された、ＩＤ番号によって対応づけられた顔画像データとＩＤ情報とからＩＤカードを再度作成する構成とした。上記構成によると、例えばユニットに詰まったためにカードを取り除くと、そのカードの再作成が、記憶手段に記憶された顔画像データとＩＤ情報に基づいて行われる。従って、エラーによって作成途中のカードを抜いたような場合でも、再発行指令に基づき、記憶データを用いてカード作成を最初から行わせることができる。
【００１２】
請求項７記載の発明では、複数のユニットに、ＩＤカード表面に顔画像データとＩＤ情報とを形成する情報記録ユニットが単数又は複数含まれる構成とした。
上記構成によると、複数のユニットに、ＩＤカード表面に顔画像データとＩＤ情報とを形成する情報記録ユニットが含まれ、例えばエラー発生ユニットが前記情報記録ユニットであれば、当該情報記録ユニットに対するカード位置に応じて待機や処理続行などの対応を選択する。従って、情報記録ユニットが単数又は複数含まれるＩＤカード作成装置において、エラー発生時に、不良カードが増えたり、カード作成が大幅に停滞することを回避できる。
【００１３】
請求項８記載の発明では、複数のユニットに、ＩＤカード表面に顔画像データとＩＤ情報とを形成する情報記録ユニットが単数又は複数含まれると共に、ＩＤ情報が形成されたＩＤカード表面に保護膜を形成する保護膜形成ユニットが単数又は複数含まれる構成とした。
上記構成によると、複数のユニットに、ＩＤカード表面に顔画像データとＩＤ情報とを形成する情報記録ユニット、及び、ＩＤ情報が形成されたＩＤカード表面に保護膜を形成する保護膜形成ユニットが含まれ、これらユニットのエラー発生箇所に応じて待機や処理続行などの対応が設定される。従って、情報記録ユニット及び保護膜形成ユニットがそれぞれ単数又は複数含まれるＩＤカード作成装置において、エラー発生時に、不良カードが増えたり、カード作成が大幅に停滞することを回避できる。
【発明を実施するための最良の形態】
【００１４】
以下に本発明の実施形態を説明する。
図１は本発明にかかるＩＤカード作成装置を含むＩＤカード作成・管理システムを示すシステムブロック図である。
この図１において、同じ構成を有する２つのＩＤカード作成端末（ＩＤカード作成手段）１ａ，１ｂが、各端末１ａ，１ｂに設けられたエンジニアリング・ワーク・ステーション（以下、ＥＷＳという。）２を介してネットワークで結合され、ＩＤカード作成端末１ａ，１ｂ間での相互通信が可能になっている。
【００１５】
尚、前記ＥＷＳ２には、それぞれモニタ３が付設されている。
各ＩＤカード作成端末１ａ，１ｂは、前記ＥＷＳ２の他、ＩＤ番号入力装置（ＩＤ番号入力手段）４，申請書スキャナ５，画像処理装置６，ＴＶモニタ７，ＩＤカード作成プリンタ（プリント手段）８，ビデオカメラ９，オートフレーミング装置10を備えている。
前記ＩＤ番号入力装置４（ＩＤ番号入力手段）は、ＩＤカードの作成を申請する申請者が提出する申請書に記載されるＩＤ番号を読取る装置であり、申請書に対してＩＤ番号が文字情報として記録される場合には光学式文字読取り装置（ＯＣＲ）を用い、また、申請書に対してバーコードとしてＩＤ番号が記録される場合にはバーコードリーダーを用い、更に、ＩＤ番号が申請書に磁気記録される場合には磁気読取り装置を用いることができる。
【００１６】
尚、ＩＤ番号の読取りは、旧ＩＤカードに印字されているＩＤ番号をＯＣＲで読み取ったり、旧ＩＤカードに磁気記録されているＩＤ番号の情報を磁気読取装置で読み取ったりしても良く、更に、申請書或いは旧ＩＤカードからの読取りが、汚れ等の理由によって不能である場合には、キーボード操作によって入力するよう構成しても良い。
申請書スキャナ５（申請書読取り手段）は、前記申請書に記載されている内容をイメージデータとして読み取るための装置であり、一般的なスキャナを用いても良いが、申請書の表裏に記載される場合には、表裏を同時に読み取れるような専用スキャナとすることが好ましい。
【００１７】
前記申請書スキャナ５としては、特願平４−３７７７８号，特願平４−９４６０４号，特願平４−９４６０５号，特願平４−９４６０７号，特願平４−１２０６０６号に示されるようなものを用いると良い。
この申請書スキャナ５で読み取られた申請書のイメージデータは、前記ＥＷＳ２のモニタ３に対して表示されるようにすると良く、前記モニタ３にはこの他、周辺端末のステータス情報を表示させると良い。
【００１８】
前記申請書のイメージデータは、最終的には、後述するホストコンピュータのデータベースに記憶され、ＩＤ番号等に基づいてかかる申請書のイメージデータを読み出して、再交付処理などにおける作業情報として提供できるようになっている。
尚、前記ＩＤ番号入力装置４及び申請書スキャナ５の具体的な例を、後で詳細に説明する。
【００１９】
また、ビデオカメラ９は、申請者の顔を直接に撮影して申請者の顔画像データ（カラー画像データ）を読み取るための撮影装置（顔画像データ入力手段）である。
前記ビデオカメラ９には、オートフレーミング装置10が備えられている。該オートフレーミング装置10は、ビデオカメラ９で撮影された申請者の顔の画像データから、輪郭抽出などの画像処理技術を用いて画面内における顔の位置を測定し、顔が画面内の基準位置になるように、ビデオカメラ９の向きを上下又は／及び左右に移動させる（又は撮影画面内から顔が基準位置となる画面を切り出す）ものである（特願平４−１７７１５６号参照）。
【００２０】
ここで、オペレータは、前記ビデオカメラ９の撮影画像（又は切出し後の画像）が写し出されるＴＶモニタ７の画面によって、オートフレーミング機能が正規に動作していて、然も、目つぶりがないことを確認できるようになっている。
前記オートフレーミング装置10は、オペレータがカメラの向きを個々の申請者毎に変える操作負担を軽減させるために設けてあり、該オートフレーミング装置10の機能によって顔撮影の作業を無人化することも可能であるが、オートフレーミング装置10を省略してオペレータがカメラの向きを申請者毎に変える構成であっても良い。
【００２１】
一方、ＥＷＳ２は、前記ＩＤ番号入力装置４で読み取られたＩＤ番号を入力し、これを後述するホストコンピュータ11に送り、該ホストコンピュータ11から前記ＩＤ番号に対応するデータとして転送されて来るＩＤ情報（ＩＤ番号に対応する住所，氏名，国籍・本籍，生年月日，資格内容など）を内蔵するハードディスクに取り込む。
画像処理装置６は、前記ビデオカメラ９で撮影された申請者の顔画像の信号（アナログビデオ信号）をディジタル化し、フレームメモリに格納後、ＳＣＳＩバス経由でＥＷＳ２に転送する。
【００２２】
尚、前記読み取られたＩＤ番号の情報も、別途ＲＳ２３２Ｃ経由でＥＷＳ２に転送される。
ここで、画像処理装置６を、ＶＭＥ−bus 等に対応したフレームメモリボード等としてＥＷＳ２の内部に設けるようにしても良い。
ＥＷＳ２（ＩＤカード作成制御手段）は、前記ホストコンピュータ11から送られてきた所定のＩＤ情報（ＩＤ番号を含む）と前記顔画像データとを対としてＩＤカード作成プリンタ８（ＩＤカード作成装置）に出力する。
【００２３】
ＩＤカード作成プリンタ８では、所定のカードに前記顔画像及びＩＤ情報をプリントしてＩＤカードを作成する。
次に前記ホストコンピュータ11について説明する。ホストコンピュータ11は、前記ＩＤカード作成端末１ａ，１ｂと共にネットワークを構成し、ファイリング装置12を介して管理される集合型光ディスク13ａ及びホストコンピュータ11に直接に接続された磁気記憶装置13ｂ（磁気テープ装置若しくは磁気ディスク装置）からなるデータベースを含んで構成される。即ち、ＩＤカード作成端末１ａ，１ｂは、前記データベースを共用しつつ、並行してＩＤカードの作成処理を実行することができるようになっている。
【００２４】
ここで、前記磁気記憶装置13ｂにはコード情報であるＩＤ情報を、また、集合型光ディスク装置13ａには申請書イメージデータ，顔画像データを記憶させるようになっている。
尚、ネットワークを構成するＩＤカード作成端末１を２つに限定するものでないことは明らかであり、要求される処理能力等を考慮して適宜のＩＤカード作成端末を増設することが可能である。
【００２５】
前記ホストコンピュータ11では、ネットワークを介して送られてくるＩＤカードに関係する各種情報（ＩＤ情報，申請書のイメージデータ、顔画像データ）を、集合型光ディスク13ａ或いは磁気記憶装置13ｂに記憶させ、また、ネットワークを介して送られてくる検索情報に基づいて前記集合型光ディスク13ａ或いは磁気記憶装置13ｂから対応するデータを検索し、これをネットワークを介して要求先に転送する機能を有している。
【００２６】
また、該ホストコンピュータ11には、ＩＤ情報管理システム14，ＩＤ情報照会システム15が設けられており、ホストコンピュータ11において、オペレータの操作によって各種ＩＤ情報の管理・照会ができるようになっている。
更に、図１に示すＩＤカード作成・管理システムにおいては、ＩＤカードの更新窓口の作業を行うためのシステム16と、ＩＤカードの紛失時などに対応する再交付窓口の作業を行うためのシステム17とが設けられている。
【００２７】
前記更新窓口システム16は、新規の申請者に関わる各種ＩＤ情報を入力し、これを前記ホストコンピュータ11に登録したり、また、ＩＤ番号の入力によって前記ホストコンピュータ11から前記ＩＤ番号に対応する登録済みのＩＤ情報を読み出すための登録端末18と、ＩＤカードの申請書（図６参照）にホストコンピュータ11から送られてきたＩＤ情報（ＩＤ番号を含む）をプリントするためのプリンタ19とからなる端末が複数設けられ、これらの端末がオフィプロセッサ20を介してネットワークに結合されている。
【００２８】
一方、再発行窓口システム17は、ＥＷＳ21を介してネットワークに結合されており、ファイリング装置12を介して集合型光ディスク13ａから申請書や顔画像等のイメージデータを読み出して再発行申請者の本人確認を行い、また、必要なデータ（記憶されていた顔画像データ，申請書データ，ＩＤ情報）を磁気記憶装置13ｂ或いは集合型光ディスク13ａから読み出してプリントできるようになっている。
【００２９】
かかる機能のため、前記再発行窓口システム17には、前記ＥＷＳ21の他、顔画像をプリントするためのカラープリンタ22、及び、この実施形態では、ＩＤ情報（住所，氏名）に欠字（コード化されていない特殊文字）を入力するための欠字入力装置23（タブレット，イメージスキャナ等）、申請書のイメージデータを印字するプリンタ24を含んで構成される。
【００３０】
尚、欠字入力装置23は、ホストコンピュータ11や専用のＥＷＳに設けても良い。
ここで、図２に従って、前記ＩＤカード作成端末１ａ，１ｂの構成をより詳細に説明する。
図２に示すように、ＥＷＳ２は、各種のインターフェイスを介して画像処理装置６，ＩＤカード作成プリンタ８及びネットワークと接続されており、更に、オフラインでデータの受渡しを行うための増設用ＭＴ31が接続されている。
【００３１】
また、ＥＷＳ２には、ハードディスクドライブ（ＨＤＤ）32が内蔵されており、各端末で扱う申請書のイメージデータ，顔画像データ，ＩＤ情報などは、前記ＨＤＤ32に一旦記憶されるようになっている。
更に、前記ビデオカメラ９は、ビデオカメラ本体33，照明装置34，電動式の雲台35によって構成され、オートフレーミング装置10からの指令に応じて前記雲台35を動かしてフレーミング動作が行われる。
【００３２】
ここで、前記ビデオカメラ９による撮影結果は、ＴＶモニタ７に写し出されるようになっており、このＴＶモニタ７を目視しながらオペレータが正規位置にオートフレーミングされたことを確認して操作部36のシャッターボタンを操作すると、そのときの画面（静止画）が画像処理装置６にフリーズされる。
そして、フリーズさせた静止画をモニタ表示で確認し、目つぶりなどの不備がないことを確認すると、オペレータは操作部36の確認ボタンを操作する。
【００３３】
すると、画像処理装置６のフレームメモリの顔画像データが、ＩＤカード作成用の顔画像データとしてＥＷＳ２に転送される。
ＴＶモニタ７に表示された画面によって目つぶりなどの不備が発見されたときには再度撮影を行って、所期の顔画像データが得られるまで撮影を繰り返すことになる。
ここで、画像処理装置６に複数枚のフレームメモリを備えるようにする一方、操作部36のシャッターボタン操作によって連続的に複数枚の撮影が行われるようにし、前記フレームメモリに蓄えられた複数の画像の中から、モニタ表示（インデックス表示又は１枚毎の切り換え表示）によって最適なものをオペレータが選択し、該選択された１つの画像のみをＥＷＳ２に出力させるようにしても良い。
【００３４】
尚、ホストコンピュータ11のデータベースにＩＤ情報や各種のイメージデータを記憶させる場合には、各種のＩＤ情報に関しては、ＩＤ情報がコード情報であって大きな記憶容量を必要としないので、前述のように、磁気記憶装置13ｂに記憶させ、顔画像データや申請書のイメージデータなどのイメージデータについては集合型光ディスク13ａに記憶させるようにすると良い。
【００３５】
上記のように記憶手段を使い分けるようにすると、ＩＤ情報管理システムとＩＤ情報照会システムとを分けることができる。
つまり、ホストコンピュータ11，ＩＤ情報管理システム14，更新窓口システム16のみを稼働させて、ＩＤ情報の管理・登録処理を行わせたり、更新窓口システム16に設けられたプリンタ19によって申請書にＩＤカードの記載項目を印字させ、別途設けられた銀塩写真式カード作成装置によって該申請書の内容と申請者の顔とを光学的に合成して露光させることでＩＤカードを作成させることができる。
【００３６】
また、前記ホストコンピュータ11，ＩＤ情報管理システム14，更新窓口システム16からなるＩＤ情報管理システムを上記のように単独で稼働させる場合と、ホストコンピュータ11，ＩＤ情報照会システム15，再交付窓口システム17，ＩＤカード作成端末１，ファイリング装置12，集合型光ディスク13ａからなるＩＤ情報照会システムを同時に稼働させる場合とを選択できる。
【００３７】
更に、顔画像データ，申請書イメージデータを記憶させる必要がない場合も想定され、この場合には、ファイリング装置12，集合型光ディスク13ａ，申請書スキャナ５は不要となるが、この場合でも、ＩＤ情報はＩＤ情報管理システム14が管理するので、登録管理に加え、ＩＤカード作成端末１でＩＤカードの作成が可能である。
また、上記のようにＩＤ情報を磁気記憶装置13ｂに記憶させるようにすれば、登録端末18からＩＤ情報をアクセスしたときのアクセス時間は、ホストコンピュータ11が管理する磁気記憶装置13ｂの方が、光ディスクを使ったファイリング装置12に比べて早いというメリットもある。
【００３８】
また、顔画像データ，申請書イメージデータを光ディスク13ａに記憶させるとき、ＩＤ情報照会システム15はＩＤ情報管理システム14から入手したＩＤ情報を、前記２つのイメージデータとセットで記憶させることができ、イメージデータの検索時にキーワードとしてＩＤ番号だけでなく、ＩＤ情報に含まれる住所，氏名等を使うことができる。
ところで、前記図１に示すシステムでは、各ＩＤカード作成端末１ａ，１ｂは、申請者の顔を直接ビデオカメラ９で撮影した結果をＩＤカードにプリントする構成となっているが、このように申請者の顔を直接撮影する代わりに、申請書に貼付される顔写真をビデオカメラで撮影し、該撮影結果を用いてＩＤカードに顔写真をプリントする作業を行わせたい場合があり、前述の直接撮影するタイプのＩＤカード作成端末（直接撮影型のＩＤカード作成手段）と共に、申請書の貼付写真を撮影するタイプのＩＤカード作成端末（間接撮影型のＩＤカード作成手段）を備えてネットワークを構築すれば、汎用性を高めることができる。
【００３９】
図３は、上記の直接撮影型のＩＤカード作成端末と間接撮影型のＩＤカード作成端末との両方をネットワークで結合した実施形態を示すシステムブロック図である。
この図３で、間接撮影型のＩＤカード作成端末41は、既述した直接撮影型のＩＤカード作成端末１のビデオカメラ９及びオートフレーミング装置10に代えて、申請書に貼付された顔写真を撮影するための間接撮影装置42を設けて構成され、その他の構成については直接撮影型のＩＤカード作成端末１と同一である。
【００４０】
また、図４は、前記間接撮影型のＩＤカード作成端末41の詳細な構成を示す図があるが、直接撮影型のＩＤカード作成端末１の詳細な構成を示す図２におけるビデオカメラ９（照明装置23，ビデオカメラ本体24，電動式雲台25），オートフレーミング装置10，操作部36に代えて、図４では、間接撮影装置42を設けてある点のみが異なる。
前記間接撮影装置42は、申請書に貼付された顔写真を読み取る装置であるから、同じく申請書の読取りを行うＩＤ番号入力装置４及び申請書スキャナ５と一体的に設けることが好ましい。図５は、間接撮影装置42にＩＤ番号入力装置４を内蔵させ、更に、該間接撮影装置42で撮影を終えた申請書が連続的に申請書スキャナ５に搬送されるようにした実施形態を示す。
【００４１】
図５に示す装置は、上から申請書の自動搬送装置（ＡＤＦ）51，ＩＤ番号入力装置４を含む間接撮影装置42，申請書スキャナ４の３つの装置から構成されており、３つの装置それぞれには、各装置の動作を制御するためにＣＰＵ52ａ，52ｂ，52ｃが備えられている。申請書は、自動搬送装置51に備えられた申請書トレー53に所定の向きで載せられ、１枚ずつ間接撮影装置42に送り出される。間接撮影装置42に送り込まれた申請書は、ＣＣＤカメラ54及びＩＤ番号入力装置４としての光学式文字読取り装置（ＯＣＲ）55による読取り位置で停止される。
【００４２】
ここで、申請書上の顔写真の貼付位置及びＩＤ番号の記録位置（図６参照）、更に、申請書の停止位置に応じて位置決めされているＣＣＤカメラ54及びＯＣＲ55（ＯＣＲリーダー55ａ，解読部55ｂ）によって、申請書の顔写真がＣＣＤカメラ54によって撮影され、同時にＯＣＲ55によって申請書に文字情報として記録されているＩＤ番号が読み取られる。
従って、顔画像データとＩＤ番号との対応を確実に付けることができ、また、顔写真及びＩＤ番号の読取り動作を効率的に行わせることができる。
【００４３】
ＣＣＤカメラ54で読み取られた申請書の顔写真のカラー画像データは、画像処理装置６のフレームメモリ57を介してディジタル信号としてＥＷＳ２に出力される。
一方、ＯＣＲ55によって読み取られたＩＤ番号は、別途ＥＷＳ２に出力され、ＥＷＳ２では、前記顔画像データ及びＩＤ番号をＨＤＤ32に記憶する。
尚、図５に示す構成では、ＣＣＤカメラ54及びＯＣＲ55による読取り停止位置において、申請書を裏面（写真が貼付される方を表面とする）から押圧する装置59が設けられており、これによりＣＣＤカメラ54及びＯＣＲ55による読取り最適位置に申請書を位置させることができるようにしてある。
【００４４】
また、58は、ＣＣＤカメラ54による顔写真の撮影照明用の蛍光灯である。
ＣＣＤカメラ54及びＯＣＲ55による読取りが終わると、停止させていた申請書の搬送を再開し、申請書を次の申請書スキャナ５に送り込む。
申請書スキャナ５では、図７に示すように、申請書の表裏を同時に読み取ることができるように、申請書の搬送路を挟んで両側に、光源61及び読取センサ62を備えており、申請書が図７で下向きに搬送されながら固定の読取センサ62によって申請書の表裏のイメージデータが読み取られるようになっている。
【００４５】
図７で、63は申請書を搬送するための搬送ローラ、64は前記搬送ローラ63を回転駆動するためのモータである。
尚、図５に示す例では、間接撮影装置42と申請書スキャナ５とを一体化させたが、これらを別々の装置として構成しても良い。
また、図５に示す構成からＣＣＤカメラ54の部分を省略して、ＩＤ番号入力装置４（ＯＣＲ55）と申請書スキャナ５とからなる装置とし、これを直接撮影型のＩＤカード作成端末用の装置としても良い。
【００４６】
この場合、図８のフローチャートに示すように、申請書をＩＤ番号入力装置４（ＯＣＲ55）に対してＡＤＦ51で自動搬送させると、まず、申請書からＩＤ番号が読み取られ、該読み取られたＩＤ番号に基づくＩＤ情報の照会、次いで、ＩＤ情報のプリンタへの転送が行われる一方、ＩＤ番号が読み取られた申請書は、次の申請書スキャナ５に送られて申請書のイメージデータが読み取られる。
【００４７】
上記のようにＩＤ番号の読取りが行われて初めて、ＩＤ情報の照会が行えるようになるから、ＩＤ番号を読取りは申請書のイメージデータの読取りなどに優先して行わせるべきである。
また、図７に示した申請書スキャナ５にＩＤ番号入力装置４（ＯＣＲ55）を内蔵させるようにして、直接撮影型に対応する申請書読取り装置としても良い。
【００４８】
図９は、かかるＩＤ番号入力装置４内蔵型の申請書スキャナ５を示し、前述の図７に示した申請書スキャナ５の読取り終了側にＯＣＲ55を設けた構成としてある。
そして、図９に示す構成では、申請書スキャナ５で読み取られた申請書を前記ＯＣＲ55の読取り位置に申請書のＩＤ番号の記録部分が合う位置で停止させ、かかる停止状態でＩＤ番号の読取りを行わせる。
【００４９】
但し、図９に示す構成では、申請書のイメージデータの読取りが終了してからＩＤ番号の読取りが行われることになって、ＩＤ情報の照会が遅れることになるので、申請書スキャナ５にＩＤ番号入力装置４（ＯＣＲ55）を内蔵させる場合には、図９に示す読取り順とは逆に、まず、ＩＤ番号が読み取られてからイメージデータの読取りが行われるよう構成することが好ましい。
【００５０】
図10には、ＩＤカード作成プリンタ８の構成例を示してある。
図10において、ＩＤカードのカード材料が、カードカセット71に収納されており、該カードカセット71から１枚ずつ取り出されたカード材料は、各色（イエローＹ，マゼンタＭ，シアンＣ，ブラックＢ）のプリント部72ａ〜72ｄ（情報記録ユニット）で、順次色別のプリントがなされ、イエローＹ，マゼンタＭ，シアンＣのプリントを重ねることで、ＩＤカードの顔写真等の部分のカラープリントを可能としており、また、最後に住所，氏名などの文字情報がブラックＢでプリントされる。
【００５１】
尚、前記イエローＹ，マゼンタＭ，シアンＣによるカラープリントを可能にするため、レッドＲ，グリーンＧ，ブルーＢの３原色信号として読み取られた顔画像データは、前記イエローＹ，マゼンタＭ，シアンＣの濃度情報に変換されるようにしてある。
また、前記イエローＹ，マゼンタＭ，シアンＣのカラープリント部72ａ〜72ｃは、昇華インク型プリンタを用いており、また、ブラックＢのプリント部72ｄは、前記昇華インク型プリンタに対して一般にプリント速度の早い溶融インク型プリンタを用いている。
【００５２】
顔写真を含む必要事項のプリントを終えたカード材料は、ホットスタンプ部73（特願平５−９２７２号参照）に送られ、ここでホットスタンプが施された後、ＵＶ塗布部74で紫外線硬化樹脂の塗布が施され、続いてＵＶ光照射部75で紫外線を照射して硬化させて、ＩＤカードの作成が終了する。
上記ＵＶ塗布部74及びＵＶ光照射部75が、保護膜形成ユニットに相当する。
【００５３】
ここで、前記ＩＤカード作成・管理システムによる処理の流れを、直接撮影型のＩＤカード作成端末を用いる場合を中心として説明する。
まず、ＩＤカードの申請者は、更新窓口でＩＤカード発行の登録手続きを行う。
具体的には、必要事項を記載し、また、顔写真を貼付した申請書を、旧のＩＤカードと共に更新窓口に提出する。
【００５４】
更新窓口では、前記申請書に記載されたＩＤ番号をキーボードから入力し、又は、旧のＩＤカードのＩＤ番号をＯＣＲで読み取らせて、ＩＤ番号をホストコンピュータ11に送る。
そして、ホストコンピュータ11から前記ＩＤ番号に対応するデータとして転送されてきたＩＤ情報（ＩＤ番号を含むＩＤカード上への記録情報）を、申請書上にプリントさせる。
【００５５】
前記ＩＤ情報の申請書上へのプリントは、ＩＤカードの記録フォーマットに合わせることが好ましく（図６参照）、これにより、申請者は内容確認が容易に行える。
申請書上へのＩＤ番号の記録は、後で行われるＯＣＲ読取りが容易となるように、ＯＣＲフォントとすることが好ましい。
尚、ＩＤカードの新規申請者の場合や住所変更などがある更新申請者の場合には、申請書に記載された事項（住所，氏名，生年月日など）を、オペレータがキーボード操作によってホストコンピュータ11に新規登録又は更新登録し、また、新規登録者に対応するＩＤ番号の設定を行う。
【００５６】
ここで、申請者の氏名等に欠字（コード化されていない特殊文字）が含まれている場合には、前記欠字入力装置23によって欠字のイメージデータを入力する。
欠字入力装置23をイメージスキャナとする場合には、欠字は手書きで用紙に記入させるが、申請書が前記用紙を兼ねるようにしても良い。
前記更新窓口での手続きを終えた申請者は、ＩＤカード作成端末に移動し、オペレータに申請書を手渡す。
【００５７】
このとき、申請者が多数の場合には、各端末１ａ，１ｂに申請者を振り分けるようにすれば良く、これによって、ＩＤカードの作成作業をデータベースを共用しながら並列的に実行させることができる。
オペレータは、図５に示した申請書トレー53に申請書を載せる。これにより、申請書は順次自動搬送され、ＩＤ番号の認識，申請書イメージデータの読取りが行われる。
【００５８】
申請書から認識されたＩＤ番号はＥＷＳ２に送られ、ＥＷＳ２を介してホストコンピュータ11にＩＤ情報の照会がなされる。
そして、ホストコンピュータ11から転送されるＩＤ情報は、ＥＷＳ２が管理するＨＤＤ32に記憶される。
また、申請書スキャナ５で読み取られた申請書のイメージデータは、ＩＤ番号が付されてやはりＥＷＳ２が管理するＨＤＤ32に記憶される。尚、申請書スキャナ５にデータ圧縮機能を持たせ、申請書のイメージデータを圧縮した後にＨＤＤ32に記憶させるようにしても良い。
【００５９】
一方、撮影ブースに移動した申請者は、ビデオカメラ９による顔の撮影を受け、顔画像データは画像処理装置６を介してＥＷＳ２が管理するＨＤＤ32に記憶される。
ＨＤＤ32上で、ＩＤ情報とこれに対応する顔画像データとが揃うと、ＩＤカード作成プリンタ８がプリント可能な状態の時に、ＥＷＳ２からＩＤカード作成プリンタ８に対して前記ＩＤ情報と顔画像データとを対として転送し、ＩＤカードのプリントを行わせる。
【００６０】
ここで、一方のＩＤカード作成端末のＩＤカード作成プリンタ８におけるプリントが滞っている場合や、プリンタ故障が発生していて、プリント不能な状況にある場合には、ネットワークを介して別のＩＤカード作成端末のプリンタにデータを転送して、別のＩＤカード作成端末でＩＤカードのプリントを行わせるようにしても良い。
直接撮影型のＩＤカード作成端末を複数備えるネットワークを構築した場合（図１参照）には、直接撮影によるＩＤカードの作成を各端末で並列的に処理することが可能であり、特に、上記のようなプリント不能時のデータ転送を端末間で行わせるようにすれば、１つの端末でプリント不能になっても、全体システムとしてこれを吸収して、ＩＤカードの作成作業が大きく滞ってしまうことがない。
【００６１】
また、間接撮影型のＩＤカード作成端末を、直接撮影型のＩＤカード作成端末と共に備えてネットワークを構成し、間接撮影と直接撮影との両方に柔軟に対応できるようにする場合（図３参照）、同じ割合で間接型と直接型とを可動させることは通常はないと想定されるので、上記のように、プリント不能時の端末間でのデータ転送を行わせるようにすれば、プリンタの可動率を上げて効率の良いＩＤカード作成が可能となる。
【００６２】
一方、ＨＤＤ32に記憶されている顔画像データ，申請書イメージデータ，ＩＤ情報（ＩＤ番号を含む）は、ＩＤ番号を検索情報としてＥＷＳ２の空き時間にホストコンピュータ11にファイリングデータとして転送され、顔画像データ，申請書イメージデータについては集合型光ディスク13ａに、また、ＩＤ情報については磁気記憶装置13ｂに記憶される。
尚、ホストコンピュータ11に転送される顔画像データについては、圧縮処理をＥＷＳ２で施してから転送させるようにしても良い。
【００６３】
上記の説明したシステムにおいて、各端末１ａ，１ｂを１人のオペレータが操作し、２人の申請者を８秒のサイクルで同時処理する場合を想定すると、各種処理内容は、図11のタイムチャートに示すようにして実行される。
尚、下記の項目番号は、図11のタイムチャート中に示す処理時間に付された番号に対応するものとする。まず、オペレータの動作として、
(1)申請書を申請者から受け取る（１秒）
(2)申請書を申請書スキャナ（ＯＣＲ）に投入する（１秒）
(3)ＩＤ番号をモニタで確認する（３秒）
(4)画像を確認して確認ボタンを押す（１秒）
が行われ、また、申請者の動作としては、
(5)撮影ブースに移動し、着席する（４秒）
が必要となり、顔画像の撮影に当たっては、オートオートフレーミング装置10の動作として、
(6)自動撮影後に、結果をモニタに表示する（２秒）
が行われる。
【００６４】
更に、前記オペレータによって投入された申請書に関連して、ＯＣＲ55，スキャナ５による読取り動作として、
(7)ＯＣＲによる申請書のＩＤ番号の自動認識（２秒）
(8)申請書をスキャナに自動搬送（２秒）
(9)申請書のスキャナ読取り（３秒）
が行われ、ＥＷＳ２においては、
(10)ＩＤ情報のホスト照会後、ディクスに書き込み（６秒）
(11)顔画像データを受け取り、ディスクに書き込み（２秒）
(12)申請書イメージデータを受け取り、ディスクへ書き込み（４秒）
(13)顔画像データとＩＤ情報とを取り出し、プリンタに転送（３秒）
が行われる。
【００６５】
一方、上記のようにして顔画像データとＩＤ情報とが転送されるプリンタにおいては、
(14)ＩＤカードの作成（８秒）
が行われ、更に、図11のタイムチャート中には示していないが、データベースに対するファイリングデータのソフト圧縮処理や転送処理（10秒）が行われる。
ここで、上記項目番号（10）に示すように、ＩＤ情報をホストに照会し、ＩＤ情報を入手するまでには数秒以上要し、特に、照会を行う端末を多く設けた場合には、ホストの負担が大きくなって前記照会時間はより長くなってしまう。
【００６６】
ＩＤ情報と顔画像データとが揃った段階でプリンタにこれらのデータを転送し、更に、各種のファイリングデータを転送し、１人の申請者に対する処理を全て終了してから、次の申請者に対する処理を開始させる構成の場合、プリンタの処理能力が高くても、前記ＩＤ情報の照会に要する時間が長いと、撮影のサイクルタイムが長くなって効率が悪い。
また、プリンタ８，申請書スキャナ５にエラーが発生したり、ホストコンピュータ11との通信（アクセス）が不能になった場合に、上記の申請者毎に処理を完結させる構成であると、エラー，通信不能状態が復活するまでの間、処理（特に申請者の顔画像撮影）が滞ってしまうことになって好ましくない。
【００６７】
そこで、前記ＥＷＳ２（ＩＤカード作成制御手段）が、ＩＤ番号，顔画像データ，ＩＤ情報，申請書のイメージデータの取得完了及びプリンタ８への作成指令完了，プリンタ８からのＩＤカード作成完了の通知の情報をＩＤ番号毎に記憶するカード作成管理ファイルをＨＤＤ32上に設定するよう構成し、ＩＤ番号の取得をトリガーとして前記ファイル登録を行い、各種データの取得や作成指令，完了通知の情報を逐次前記ファイルにセットし、複数のＩＤカード作成にかかる処理が１つの端末内で並列的に処理できるようにすると良い。
【００６８】
ここで、前記カード作成管理ファイルを用いた制御の様子を、図12のデータ・フロー・ダイアグラムを参照しつつ説明する。
尚、図12において、□で囲まれた部分は装置を示し、○で囲まれた部分は機能を示し、更に、上下に直線で挟まれる部分はデータ格納を示すものとする。ＥＷＳ２においては、まず、ＩＤ番号の取得がなされると、前記カード作成管理ファイルにＩＤ番号を登録し、ファイルの新規設定を行う。
【００６９】
そして、顔画像データのディスクへの格納が終了すると、対応するファイルに顔画像準備完了をセットし、また、前記ＩＤ番号を検索情報としてホストからＩＤ情報が取り込まれると、対応するファイルにＩＤ情報準備完了をセットする。
そして、前記カード作成管理ファイルに基づいて顔画像データとＩＤ情報とが取得済みであることが判別されると、顔画像データとＩＤ情報とを付属のプリンタ８に転送し、次いで作成指令をプリンタ８に出力し、前記ファイルに対して作成指令完了をセットする。
【００７０】
ここで、顔画像データの読取りをＩＤ情報の照会に対応させて行わせる必要はなく、たとえＩＤ情報の照会が済んでいなくても、顔画像データの読取りを優先してどんどん進行させ、ＩＤ情報の照会が済んで顔画像データとＩＤ情報とが揃ったことが管理ファイル上で確認されたものから、逐次プリンタ８に対してデータを転送し、作成指令を出力させるようにすれば良い。
【００７１】
このように顔画像の撮影を優先させて進行させれば、撮影サイクルがＩＤ情報の照会に影響されて長引くことがなく、申請者の顔画像撮影を早期に済ませることができる。
プリンタ８においては、ＥＷＳ２から転送される顔画像データとＩＤ情報とを一時的に記憶できるバッファメモリ（入力データ記憶手段）を備え、ＩＤカードの作成完了又は作成指令のキャンセルがなされるまでは、前記バッファメモリの記憶内容を保持するよう構成する。
【００７２】
そして、ＥＷＳ２から作成指令が出力されると、前記バッファメモリの対応するデータを使用してカード作成を開始する。
ここで、ＩＤカード作成中に、各種消耗品の残量不足やジャムなどのエラーが発生したときには、エラー・ワーニング発生ユニットの信号に基づいて、プリンタのエラー発生ユニット（プリント部72ａ〜72ｄ，ホットスタンプ部73，ＵＶ塗布部74，ＵＶ光照射部75）よりも下流側のユニットでは処理を順次進行させ、また、エラー発生ユニットの上流側では各ユニットの処理を終えたところで待機させる。
【００７３】
尚、各ユニットの処理を終えたところで待機させるのは、各ユニットにおけるプリント途中で停止させると、画像や文字に白すじが残ってしまうためである。
次いで、ＥＷＳ２側にエラー・ワーニングデータをステータス情報として通報すると共に、エラー情報をプリンタ８の操作パネルに表示してオペレータに警告する。
オペレータは、前記警告に従ってプリンタ８におけるエラー要因を確認し、そのエラー要因を取り除き、プリント再開信号をプリンタ８の操作パネルを介して入力し、待機させておいたプリント動作を再開させる。
【００７４】
ここで、カード材のつまり等によって作成途中のカードを抜いたような場合には、該当するカードに対応する作成指令の再発行を要請する必要があり、オペレータがプリンタ８の操作パネルを介してＥＷＳ２に再発行を選択的に指示できるようになっている。
該作成指令の再発行時において、プリンタ８は、エラー発生によってプリントできなかったＩＤカードの作成をバッファメモリに記憶されているデータに基づいて最初からやり直し、ＩＤカードの作成が完了すると、かかる情報をＥＷＳ２に出力して、対応する管理ファイルの作成完了通知がセットされるようにする。
【００７５】
従って、プリンタ８による作成中にエラーが生じても、再度顔画像データやＩＤ情報をＥＷＳ２から転送する必要がなく、エラー要因を除くことで、カード作成を直ちに再開でき、また、エラーによって作成途中のカードを抜いたような場合でも、オペレータの操作によって内蔵バッファメモリ（記憶手段）の記憶データを用いたプリントを最初から行わせることができる。
【００７６】
ＥＷＳ２側では、プリンタ８から送られるエラー・ワーニングデータを表示すると共に、作成指令を出力してから規定時間以上経っても、カード作成管理ファイルに作成完了通知がセットされないときには、先に発行した作成指令を一旦キャンセルし、再度、顔画像データ，ＩＤ情報を転送し、作成指令を再発行する。
ここで、上記の顔画像データ，ＩＤ情報の再転送及び作成指令の再発行は、同じプリンタ８に対して行っても良いし、付属のプリンタ８によるＩＤカードの作成は不能であるものと見做し、別の端末に付属されるプリンタ８に対して行われるようにしても良い。
【００７７】
これにより、プリント作成指令は出力したものの、実際にプリントされないまま放置されることを回避でき、ＩＤカードの作成を確実かつ早期に行わせることが可能となる。
尚、別の端末のプリンタ８に再発行を指示する場合には、カード作成管理ファイル及びハードディスク32に格納されているＩＤカード作成に関わる各種のデータを、プリントを行わせるプリンタ８に対応するＥＷＳ２に移動させ、常に、プリンタ８が特定のＥＷＳ２と対となって動作するようにすると良い。
【００７８】
また、申請書スキャナ５にエラーが発生し、申請書のイメージデータの取込みが行われていない場合には、ＩＤカードの作成処理には支障はないので、ＩＤカードの作成処理を逐次進行させておき、後で管理ファイルをチェックして申請書のイメージデータの処理が済んでいないことを判別した段階で、入力処理及びデータベースへの転送を行わせることができる。
【００７９】
従って、申請書スキャナのエラーが途中で発生しても、ＩＤカードの作成処理は通常に行わせておき、例えば、予定のＩＤカード作成が終了した後で管理ファイルをチェックして、申請書の読取りが行われていないものについてのみまとめて読取りを行わせることができ、申請書スキャナ５におけるエラー発生が、ＩＤカード作成サイクルに影響を与えることを回避できる。
【００８０】
また、ホストコンピュータ11との通信が不能になり、ホストコンピュータ11のデータベース（磁気記憶装置13ｂ）にアクセスしてＩＤ情報を照会することができない場合には、ＩＤカードの作成は行えなくなるが、その他のＩＤ番号の読取り，顔画像の撮影，申請書の読取りは進行させておき、ホストコンピュータ11との通信が可能になった段階で、ＩＤ情報の照会が済んでいない申請者を前記管理ファイルでチェックして逐次ＩＤ情報の照会を行い、顔画像データとＩＤ情報とが揃ったものから順次ＩＤカードの作成を行わせるようにすれば良い。
【００８１】
従って、ホストコンピュータ11との通信が不能になっても、通常に申請者毎の顔画像の撮影、申請書の読取りを進行させておくことができ、前記通信不能によっても撮影が滞ってしまうことがない。
【図面の簡単な説明】
【００８２】
【図１】ＩＤカード作成・管理システムを示すシステムブロック図。
【図２】直接撮影型のＩＤカード作成端末を示すブロック図。
【図３】ＩＤカード作成・管理システムの別の構成例を示すシステムブロック図。
【図４】間接撮影型のＩＤカード作成端末を示すブロック図。
【図５】申請書の読取り装置を示す縦断面図。
【図６】申請書の例を示す図。
【図７】申請書スキャナの例を示す縦断面図。
【図８】直接撮影型における処理を示すフローチャート。
【図９】ＩＤ番号入力装置を内蔵した申請書スキャナを示す縦断面図。
【図１０】プリンタの構成例を示す縦断面図。
【図１１】実施形態における処理手順を示すタイムチャート。
【図１２】管理ファイルに基づいて処理制御の概略を示すブロック図。
【符号の説明】
【００８３】
１ａ，１ｂ…ＩＤカード作成端末（直接撮影型）
２…エンジニアリング・ワーク・ステーション
４…ＩＤ番号入力装置
５…申請書スキャナ
６…画像処理装置
７…ＴＶモニタ
８…ＩＤカード作成プリンタ（ＩＤカード作成装置）
９…ビデオカメラ
10…オートフレーミング装置
11…ホストコンピュータ
12…ファイリング装置
13ａ…集合型光ディスク
13ｂ…磁気記憶装置
32…ＨＤＤ
41…ＩＤカード作成端末（間接撮影型）
42…間接撮影装置
54…ＣＣＤカメラ
55…ＯＣＲ
【図１】
2006137198.tif 000003
【図２】
2006137198.tif 000004
【図３】
2006137198.tif 000005
【図４】
2006137198.tif 000006
【図５】
2006137198.tif 000007
【図６】
2006137198.tif 000008
【図７】
2006137198.tif 000009
【図８】
2006137198.tif 000010
【図９】
2006137198.tif 000011
【図１０】
2006137198.tif 000012
【図１１】
2006137198.tif 000013
【図１２】
2006137198.tif 000014